(57)【要約】【課題】従来、公序良俗違反の画像を用いた有価媒体が印刷され得る、という課題があった。【解決手段】画像入力装置と、印刷決定装置と、印刷装置とを具備する有価媒体印刷システムであって、画像入力装置は、画像を受け付けた画像を印刷決定装置に送信し、印刷決定装置は、画像を受信する画像受信部と、画像に基づいて、当該画像が公序良俗に反しないか否かを示す情報である判断情報を取得する判断情報取得部と、判断情報が公序良俗に反しないことを示す情報である場合、画像を印刷装置に送信する画像転送部とを具備し、印刷装置は、受信した画像を、有価媒体カセットに蓄えられている有価媒体の、予め決められた領域に印刷する有価媒体印刷システムにより、公序良俗違反の画像を用いた有価媒体の印刷を防止できる。【選択図】図２
2009135592.tif 000002
【特許請求の範囲】
【請求項１】
画像入力装置と、印刷決定装置と、印刷装置とを具備する有価媒体印刷システムであって、
前記画像入力装置は、
画像を受け付ける画像受付部と、
前記画像を前記印刷決定装置に送信する画像送信部を具備し、
前記印刷決定装置は、
前記画像を受信する画像受信部と、
前記画像に基づいて、当該画像が公序良俗に反しないか否かを示す情報である判断情報を取得する判断情報取得部と、
前記判断情報が公序良俗に反しないことを示す情報である場合、前記画像を前記印刷装置に送信する画像転送部とを具備し、
前記印刷装置は、
所定の機関または団体が発行する媒体であり、所定の機能を有する媒体である有価媒体を蓄えている有価媒体カセットと、
前記画像を受信する印刷対象画像受信部と、
前記判断情報が公序良俗に反しないことを示す情報である場合、前記印刷対象画像受信部が受信した画像を、前記有価媒体カセットに蓄えられている有価媒体の、予め決められた領域に印刷する印刷部を具備する有価媒体印刷システム。
【請求項２】
画像入力印刷装置と、印刷決定装置とを具備する有価媒体印刷システムであって、
前記入力印刷装置は、
所定の機関または団体が発行する媒体であり、所定の機能を有する媒体である有価媒体を蓄えている有価媒体カセットと、
画像を受け付ける画像受付部と、
前記画像を前記印刷決定装置に送信する画像送信部と、
前記画像が公序良俗に反しないか否かを示す情報である判断情報を、前記印刷決定装置から受信する判断情報受信部と、
前記判断情報が公序良俗に反しないことを示す情報である場合、前記画像を、前記有価媒体カセットに蓄えられている有価媒体の、予め決められた領域に印刷する印刷部を具備し、
前記印刷決定装置は、
前記画像を受信する画像受信部と、
前記画像に基づいて、当該画像が公序良俗に反しないか否かを示す情報である判断情報を取得する判断情報取得部と、
前記判断情報を前記入力印刷装置に送信する判断情報送信部を具備する有価媒体印刷システム。
【請求項３】
前記印刷決定装置は、
前記画像受信部が受信した画像を表示する画像表示部をさらに具備し、
前記判断情報取得部は、
ユーザからの判断情報の入力を受け付け、当該受け付けた判断情報を得る請求項１または請求項２記載の有価媒体印刷システム。
【請求項４】
前記判断情報取得部は、
公序良俗に反する画像に関する情報である違反情報を格納している違反情報格納手段と、
前記違反情報を用いて、前記画像が公序良俗に反しないか否かを示す情報である判断情報を取得する判断情報取得手段を具備する請求項１または請求項２記載の有価媒体印刷システム。
【請求項５】
前記画像受付部は、
２以上のカメラと、
前記２以上のカメラで撮影した２以上の画像を取得する画像取得手段とを具備し、
前記違反情報は、
撮影された対象が平面物体である場合に、公序良俗に反する画像であると決定する旨の情報であり、
前記判断情報取得手段は、
前記２以上の画像が示す撮影の対象が平面物体であるか否かを判断し、平面物体であると判断した場合は公序良俗に反すると判断し、平面物体でないと判断した場合は公序良俗に反しないと判断し、判断情報を取得する請求項４記載の有価媒体印刷システム。
【請求項６】
前記違反情報は、
公序良俗に反する１以上の画像であり、
前記判断情報取得手段は、
前記画像受信部が受信した画像と前記公序良俗に反する１以上の各画像との類似度を算出し、当該１以上の類似度のうち、閾値より大きい類似度となる類似度が一つでも算出された場合に、前記画像受信部が受信した画像が公序良俗に反すると判断し、すべての類似度が閾値より小さいであると算出された場合に、公序良俗に反しないと判断し、判断情報を取得する請求項４記載の有価媒体印刷システム。
【請求項７】
前記判断情報取得部の判断情報取得手段は、
前記違反情報を用いて、前記画像が公序良俗に反する、公序良俗に反しない、または不明のいずれかの判断情報を取得し、
前記取得した判断情報が不明である場合、
前記印刷決定装置は、
前記画像受信部が受信した画像を表示する画像表示部をさらに具備し、
前記判断情報取得手段は、
前記取得した判断情報が不明である場合、さらに、ユーザによる、判断情報の入力を受け付け、当該受け付けた判断情報を得る請求項４記載の有価媒体印刷システム。
【請求項８】
画像を受け付け、当該画像を前記印刷決定装置に送信する画像入力装置と、前記画像を受信し、当該画像を有価媒体に印刷するか否かを決定する印刷決定装置と、前記画像を有価媒体に印刷する印刷装置とを具備する有価媒体印刷システムであって、
前記印刷決定装置は、
前記画像に基づいて、当該画像が公序良俗に反しないか否かを判断し、公序良俗に反しない場合に、前記印刷装置に対して、有価媒体に画像を印刷させることを特徴とする有価媒体印刷システム。
【請求項９】
前記有価媒体は、切手シート、年賀状、はがき、定期券、クレジットカード、ＩＣカードのいずれかである請求項１から請求項８記載の有価媒体印刷システム。
【請求項１０】
請求項１から請求項９いずれか記載の有価媒体印刷システムを構成する印刷決定装置。
【発明の詳細な説明】
【技術分野】
【０００１】
本発明は、受け付けた画像を検査し、公序良俗違反でない場合のみ、画像を含む有価媒体を印刷する有価媒体印刷システム等に関するものである。
【背景技術】
【０００２】
従来、撮像画像を用い、所定の機関や団体においてもある種の機能を発揮する使用が可能な画像シートを提供する画像シート製造装置があった（特許文献１参照）。
【０００３】
また、画像から顔画像を検出する技術があった（特許文献２、３参照）。また、画像内の人体を検出するがある（特許文献４参照）。また、顔画像の類似度を判定する技術がある（特許文献５参照）。また、画像間の類似度を判定する技術がある（特許文献６、７参照）。
【０００４】
さらに、２つのカメラから取得した画像を用いて、被写体が立体であるか平面であるかを認識する技術があった（特許文献８、９参照）。
【特許文献１】特開平１０−３２２５４４号公報（第１頁、第１図等）
【特許文献２】特開２００７−９４６３３号公報（第１頁、第１図等）
【特許文献３】特開２００７−５２５４７号公報（第１頁、第１図等）
【特許文献４】特開２００６−２３６１８４号公報（第１頁、第１図等）
【特許文献５】特開２００７−５２７３３号公報（第１頁、第１図等）
【特許文献６】特開２００７−１２０２４号公報（第１頁、第１図等）
【特許文献７】特開２００６−１８５３６４号公報（第１頁、第１図等）
【特許文献８】特開２００５−３４６３８１号公報（第１頁、第１図等）
【特許文献９】特開２００７−３０６２７２号公報（第１頁、第１図等）
【発明の開示】
【発明が解決しようとする課題】
【０００５】
しかしながら、従来の装置においては、卑猥な画像や、有名人の顔写真などが撮像画像として用いられ、公序良俗に反する画像を用いない仕組みが、装置に組み込まれていなかった。
【課題を解決するための手段】
【０００６】
本第一の発明の有価媒体印刷システムは、画像入力装置と、印刷決定装置と、印刷装置とを具備する有価媒体印刷システムであって、前記画像入力装置は、画像を受け付ける画像受付部と、前記画像を前記印刷決定装置に送信する画像送信部を具備し、前記印刷決定装置は、前記画像を受信する画像受信部と、前記画像に基づいて、当該画像が公序良俗に反しないか否かを示す情報である判断情報を取得する判断情報取得部と、前記判断情報が公序良俗に反しないことを示す情報である場合、前記画像を前記印刷装置に送信する画像転送部とを具備し、前記印刷装置は、所定の機関または団体が発行する媒体であり、所定の機能を有する媒体である有価媒体を蓄えている有価媒体カセットと、前記画像を受信する印刷対象画像受信部と、前記判断情報が公序良俗に反しないことを示す情報である場合、前記印刷対象画像受信部が受信した画像を、前記有価媒体カセットに蓄えられている有価媒体の、予め決められた領域に印刷する印刷部を具備する有価媒体印刷システムである。
【０００７】
かかる構成により、公序良俗に反しない画像のみを用いて、切手シートや年賀状などの有価媒体を印刷できる。
【０００８】
また、本第二の発明の有価媒体印刷システムは、画像入力印刷装置と、印刷決定装置とを具備する有価媒体印刷システムであって、前記入力印刷装置は、所定の機関または団体が発行する媒体であり、所定の機能を有する媒体である有価媒体を蓄えている有価媒体カセットと、画像を受け付ける画像受付部と、前記画像を前記印刷決定装置に送信する画像送信部と、前記画像が公序良俗に反しないか否かを示す情報である判断情報を、前記印刷決定装置から受信する判断情報受信部と、前記判断情報が公序良俗に反しないことを示す情報である場合、前記画像を、前記有価媒体カセットに蓄えられている有価媒体の、予め決められた領域に印刷する印刷部を具備し、前記印刷決定装置は、前記画像を受信する画像受信部と、前記画像に基づいて、当該画像が公序良俗に反しないか否かを示す情報である判断情報を取得する判断情報取得部と、前記判断情報を前記入力印刷装置に送信する判断情報送信部を具備する有価媒体印刷システムである。
【０００９】
かかる構成により、公序良俗に反しない画像のみを用いて、切手シートや年賀状などの有価媒体を印刷でき、かつ、例えば、ユーザは画像を撮影した装置において、有価媒体を印刷できる。
【００１０】
また、本第三の発明の有価媒体印刷システムは、第一、第二いずれかの発明に対して、前記印刷決定装置は、前記画像受信部が受信した画像を表示する画像表示部をさらに具備し、前記判断情報取得部は、ユーザからの判断情報の入力を受け付け、当該受け付けた判断情報を得る有価媒体印刷システムである。
【００１１】
かかる構成により、画像を閲覧したユーザの確実な公序良俗違反の判断により、公序良俗に反しない画像のみを用いて、切手シートや年賀状などの有価媒体を印刷できる。
【００１２】
また、本第四の発明の有価媒体印刷システムは、第一、第二いずれかの発明に対して、前記判断情報取得部は、公序良俗に反する画像に関する情報である違反情報を格納している違反情報格納手段と、前記違反情報を用いて、前記画像が公序良俗に反しないか否かを示す情報である判断情報を取得する判断情報取得手段を具備する有価媒体印刷システムである。
【００１３】
かかる構成により、自動的に公序良俗違反の判断を行い、公序良俗に反しない画像のみを用いて、切手シートや年賀状などの有価媒体を印刷できる。
【００１４】
また、本第五の発明の有価媒体印刷システムは、第四の発明に対して、前記画像受付部は、２以上のカメラと、前記２以上のカメラで撮影した２以上の画像を取得する画像取得手段とを具備し、前記違反情報は、撮影された対象が平面物体である場合に、公序良俗に反する画像であると決定する旨の情報であり、前記判断情報取得手段は、前記２以上の画像が示す撮影の対象が平面物体であるか否かを判断し、平面物体であると判断した場合は公序良俗に反すると判断し、平面物体でないと判断した場合は公序良俗に反しないと判断し、判断情報を取得する有価媒体印刷システムである。
【００１５】
かかる構成により、有名人の写真などを撮影した画像であり、公序良俗違反の画像を用いた有価媒体の印刷を防止できる。
【００１６】
また、本第六の発明の有価媒体印刷システムは、第四の発明に対して、前記違反情報は、公序良俗に反する１以上の画像であり、前記判断情報取得手段は、前記画像受信部が受信した画像と前記公序良俗に反する１以上の各画像との類似度を算出し、当該１以上の類似度のうち、閾値より大きい類似度となる類似度が一つでも算出された場合に、前記画像受信部が受信した画像が公序良俗に反すると判断し、すべての類似度が閾値より小さいであると算出された場合に、公序良俗に反しないと判断し、判断情報を取得する有価媒体印刷システムである。
【００１７】
かかる構成により、有名人の写真や問題のある画像と類似する画像を用いた有価媒体の印刷を防止できる。
【００１８】
また、本第七の発明の有価媒体印刷システムは、第四の発明に対して、前記判断情報取得部の判断情報取得手段は、前記違反情報を用いて、前記画像が公序良俗に反する、公序良俗に反しない、または不明のいずれかの判断情報を取得し、前記取得した判断情報が不明である場合、前記印刷決定装置は、前記画像受信部が受信した画像を表示する画像表示部をさらに具備し、前記判断情報取得手段は、前記取得した判断情報が不明である場合、さらに、ユーザによる、判断情報の入力を受け付け、当該受け付けた判断情報を得る有価媒体印刷システムである。
【００１９】
かかる構成により、公序良俗違反の自動判断が困難な場合は、ユーザの判断を行うことができる、という柔軟なシステムを提供できる。
【発明の効果】
【００２０】
本発明による有価媒体印刷システムによれば、公序良俗違反の画像を用いた有価媒体の印刷を防止できる。
【発明を実施するための最良の形態】
【００２１】
以下、有価媒体印刷システム等の実施形態について図面を参照して説明する。なお、実施の形態において同じ符号を付した構成要素は同様の動作を行うので、再度の説明を省略する場合がある。
（実施の形態１）
【００２２】
本実施の形態において、公序良俗違反の画像を用いた有価媒体の印刷を防止できる有価媒体印刷システムについて説明する。本有価媒体印刷システムは、画像の入力を受け付ける画像入力装置と、有価媒体を印刷する印刷装置とが分離されている。
【００２３】
図１は、本実施の形態における有価媒体印刷システム１の概念図である。有価媒体印刷システム１は、画像入力装置１１、印刷決定装置１２、印刷装置１３を具備する。画像入力装置１１は、例えば、カメラを具備する装置であり、カメラで撮影した画像を、印刷決定装置１２に送信する。印刷決定装置１２は、公序良俗違反か否かについての判断情報を得て、当該判断情報を印刷装置１３に送信する。印刷装置１３は、有価媒体を印刷する。また、画像入力装置１１、印刷決定装置１２、印刷装置１３は、それぞれ、インターネット等のネットワークにより接続されている。図１等の雲型マークは、インターネット等のネットワークを意味する。
【００２４】
図２は、本実施の形態における有価媒体印刷システムのブロック図である。画像入力装置１１は、画像受付部１１１、画像送信部１１２を具備する。画像受付部１１１は、カメラ１１１１、画像取得手段１１１２を具備する。
【００２５】
印刷決定装置１２は、画像受信部１２１、判断情報取得部１２２、画像転送部１２３、画像表示部１２４、を具備する。判断情報取得部１２２は、違反情報格納手段１２２１、判断情報取得手段１２２２を具備する。
【００２６】
印刷装置１３は、有価媒体カセット１３１、印刷対象画像受信部１３２、印刷部１３３を具備する。
【００２７】
画像受付部１１１は、画像を受け付ける。ここで、「受け付け」とは、カメラによる撮影、通信手段による受信、記憶媒体からの読み込みなどである。カメラは、二つでも良い。また、カメラは３以上でも良い。画像受付部１１１は、例えば、カメラと画像を取得し、当該画像を画像送信部１１２に渡すソフトウェア等で実現され得る。
【００２８】
画像取得手段１１１２は、例えば、２以上のカメラ１１１１で撮影した２以上の画像を取得する。画像取得手段１１１２は、一のカメラ１１１１で撮影した一の画像を取得しても良い。画像取得手段１１１２は、通常、ＭＰＵやメモリ等から実現され得る。画像取得手段１１１２の処理手順は、通常、ソフトウェアで実現され、当該ソフトウェアはＲＯＭ等の記録媒体に記録されている。但し、ハードウェア（専用回路）で実現しても良い。
【００２９】
画像送信部１１２は、画像受付部１１１が受け付けた画像を印刷決定装置１２に送信する。送信される画像は、２以上でも良い。画像送信部１１２が画像を送信するタイミングは問わない。画像送信部１１２は、ユーザ指示により画像を送信しても良いし、画像受付部１１１が画像を受け付けると直ちに画像を送信しても良い。画像送信部１１２は、通常、無線または有線の通信手段で実現されるが、放送手段で実現されても良い。
【００３０】
画像受信部１２１は、画像入力装置１１から、画像を受信する。画像受信部１２１は、通常、無線または有線の通信手段で実現されるが、放送を受信する手段で実現されても良い。
【００３１】
判断情報取得部１２２は、画像受信部１２１が受信した画像に基づいて、当該画像が公序良俗に反しないか否かを示す情報である判断情報を取得する。判断情報を取得する方法として、ユーザからの判断情報の入力を受け付ける方法（手動）と、公序良俗に反するか否かを自動的に判断する方法（自動）等がある。「取得」とは、人手による入力、自動取得等がある。つまり、判断情報取得部１２２は、ユーザからの判断情報の入力を受け付け、当該受け付けた判断情報を得ても良い。また、上記の「ユーザ」とは、表示された画像を見て、公序良俗に反するか否かを判断する人である。判断情報取得部１２２は、通常、ＭＰＵやメモリ等から実現され得る。判断情報取得部１２２の処理手順は、通常、ソフトウェアで実現され、当該ソフトウェアはＲＯＭ等の記録媒体に記録されている。但し、ハードウェア（専用回路）で実現しても良い。
【００３２】
違反情報格納手段１２２１は、違反情報を格納している。違反情報とは、公序良俗に反する画像に関する情報である。違反情報とは、公序良俗に反しない画像に関する情報であっても良い。違反情報は、公序良俗違反について判断するプログラム中に埋め込まれていても良い（プログラムの命令列で実現されていても良い）し、データとして、プログラムとは別ファイルで保持されていても良い。違反情報は、例えば、撮影された対象が平面物体である場合に、公序良俗に反する画像であると決定する旨の情報である。また、違反情報は、例えば、公序良俗に反する１以上の画像（有名人の顔写真画像、いわゆる竹島の写真画像、卑猥な画像など）である。また、違反情報は、撮影された対象が人物を含まない場合に、公序良俗に反する画像であると決定する旨の情報でも良い。違反情報格納手段１２２１は、不揮発性の記録媒体が好適であるが、揮発性の記録媒体でも実現可能である。違反情報格納手段１２２１に違反情報が記憶される過程は問わない。例えば、記録媒体を介して違反情報が違反情報格納手段１２２１で記憶されるようになってもよく、通信回線等を介して送信された違反情報が違反情報格納手段１２２１で記憶されるようになってもよく、あるいは、入力デバイスを介して入力された違反情報が違反情報格納手段１２２１で記憶されるようになってもよい。
【００３３】
判断情報取得手段１２２２は、違反情報を用いて、画像受信部１２１が受信した画像が公序良俗に反しないか否かを示す情報である判断情報を取得する。
【００３４】
判断情報取得手段１２２２は、２以上の画像が示す撮影の対象が平面物体であるか否かを判断し、平面物体であると判断した場合は公序良俗に反すると判断し、平面物体でないと判断した場合は公序良俗に反しないと判断し、判断情報を取得しても良い。
【００３５】
また、判断情報取得手段１２２２は、前記画像受信部が受信した画像と前記公序良俗に反する１以上の各画像との類似度を算出し、当該１以上の類似度のうち、閾値より大きい類似度となる類似度が一つでも算出された場合に、前記画像受信部が受信した画像が公序良俗に反すると判断し、すべての類似度が閾値より小さいであると算出された場合に、公序良俗に反しないと判断し、判断情報を取得しても良い。なお、閾値は、判断情報取得手段１２２２が予め保持している。また、閾値と同じ場合は、公序良俗に反すると判断しても良いし、公序良俗に反しないと判断しても良い。
【００３６】
また、判断情報取得手段１２２２は、画像受信部が受信した画像が人物を含むか否かを判断し、人物を含まないと判断した場合に、前記画像受信部が受信した画像が公序良俗に反すると判断し、人物を含むと判断した場合に、公序良俗に反しないと判断し、判断情報を取得しても良い。
【００３７】
また、判断情報取得手段１２２２は、違反情報を用いて、前記画像が公序良俗に反する、公序良俗に反しない、または不明のいずれかの判断情報を取得し、前記取得した判断情報が不明である場合、さらに、ユーザによる、判断情報の入力を受け付け、当該受け付けた判断情報を得ても良い。
【００３８】
判断情報取得手段１２２２は、通常、ＭＰＵやメモリ等から実現され得る。判断情報取得手段１２２２の処理手順は、通常、ソフトウェアで実現され、当該ソフトウェアはＲＯＭ等の記録媒体に記録されている。但し、ハードウェア（専用回路）で実現しても良い。
【００３９】
画像転送部１２３は、判断情報が公序良俗に反しないことを示す情報である場合、画像を印刷装置１３に送信する。ここで、「送信」とは、判断情報が公序良俗に反するとの情報である場合でも、画像を送信しても良い、結果として、画像が印刷されなければ良い。画像転送部１２３は、通常、無線または有線の通信手段等で実現され得る。
【００４０】
画像表示部１２４は、画像受信部１２１が受信した画像を表示する。画像表示部１２４は、取得した判断情報が不明である場合、画像受信部１２１が受信した画像を表示することは好適である。なお、画像表示部１２４は、必須ではない。画像表示部１２４は、ディスプレイデバイスを含むと考えても含まないと考えても良い。画像表示部１２４は、ディスプレイデバイスのドライバーソフトまたは、ディスプレイデバイスのドライバーソフトとディスプレイデバイス等で実現され得る。
【００４１】
有価媒体カセット１３１は、所定の機関または団体が発行する媒体であり、所定の機能を有する媒である有価媒体を蓄えている。有価媒体とは、例えば、切手シート、年賀状、クレジットカード、電子マネー機能を有するＩＣカード、病院の診察カード、定期券、テレホンカード等である。有価媒体の材質は、紙、プラスティック、金属等、問わない。有価媒体は、金銭的価値を有するものとは限らない。
【００４２】
印刷対象画像受信部１３２は、有価媒体に印刷する画像を受信する。印刷対象画像受信部１３２は、通常、無線または有線の通信手段で実現されるが、放送を受信する手段で実現されても良い。
【００４３】
印刷部１３３は、判断情報が公序良俗に反しないことを示す情報である場合、印刷対象画像受信部１３２が受信した画像を、有価媒体カセット１３１に蓄えられている有価媒体の、予め決められた領域に印刷する。画像を印刷する領域は、予め決められており、その領域は問わない。印刷部１３３は、プリンターとそのドライバーソフトウェア等で実現しても良い。
【００４４】
次に、有価媒体印刷システムの動作について説明する。まず、画像入力装置１１の動作について説明する。
【００４５】
画像入力装置１１の画像受付部１１１は画像を受け付ける。この受付とは、例えば、ユーザが図示しない撮影ボタンを押下し、カメラ１１１１により画像を撮影し、画像取得手段１１１２が当該撮影した画像を取得することである。次に、画像送信部１１２は、画像受付部１１１が受け付けた画像を印刷決定装置１２に送信する。
【００４６】
次に、印刷決定装置１２の動作について、図３のフローチャートを用いて説明する。
【００４７】
（ステップＳ３０１）画像受信部１２１は、画像を受信したか否かを判断する。画像を受信すればステップＳ３０２に行き、画像を受信しなければステップＳ３０１に戻る。
【００４８】
（ステップＳ３０２）判断情報取得部１２２は、判断情報取得処理を行う。判断情報取得処理とは、ステップＳ３０１で取得された画像が、公序良俗に反するか否かを示す情報（判断情報）を取得する処理である。判断情報取得処理とは、判断情報取得手段１２２２が、違反情報格納手段１２２１に格納されている違反情報を用いて判断情報を取得しても良い。判断情報取得処理の例について、後述する。
【００４９】
（ステップＳ３０３）画像転送部１２３は、ステップＳ３０２で取得した判断情報が、公序良俗違反を示す情報でないか否かを判断する。判断情報が公序良俗違反を示す情報でなければステップＳ３０４に行き、公序良俗違反を示す情報であればステップＳ３０１に戻る。
【００５０】
（ステップＳ３０４）画像転送部１２３は、ステップＳ３０１で取得された画像を、印刷装置１３に送信する。ステップＳ３０１に戻る。
【００５１】
なお、図３のフローチャートにおいて、電源オフや処理終了の割り込みにより処理は終了する。
【００５２】
また、ステップＳ３０２の判断情報取得処理として、例えば、以下の７つの具体的な処理があり得る。第一の判断情報取得処理は、以下である。まず、画像受信部１２１が受信した画像を、画像表示部１２４がディスプレイに表示する。次に、ユーザは、表示された画像を見て、公序良俗違反の画像であるか否か（判断情報）を入力する。かかる入力は、キーボードなどの入力手段を用いた入力であり、例えば、「ＯＫ」または「ＮＧ」のボタン（例えば、ＧＵＩのボタン）のいずれか一方の押下などでも良い。そして、判断情報取得部１２２は、ユーザが入力した判断情報を受け付ける。
【００５３】
第二の判断情報取得処理は、以下である。違反情報格納手段１２２１の違反情報は、被写体が立体であれば公序良俗違反ではなく、被写体が平面であれば公序良俗違反であるとの判断を行う旨の情報である。そして、判断情報取得手段１２２２は、まず、画像入力装置１１が有する２つのカメラ（カメラ１１１１）で撮影され、取得された２つの画像を用いて、以下のように、被写体が立体であるか平面であるかを判断する。そして、判断情報取得手段１２２２は、違反情報に従い、判断情報を取得する。なお、被写体が立体であるか、平面であるかを認識する技術は、例えば、上記の特許文献８、９などに記載されている。
【００５４】
第三の判断情報取得処理は、以下である。違反情報は、画像の予め決められた領域（例えば、略中心あたり）に人がいなければ公序良俗違反であり、画像の予め決められた領域（例えば、略中心あたり）に人がいれば公序良俗違反でないとの判断を行う旨の情報である。そして、判断情報取得手段１２２２は、受信された画像の中の顔認識を行い、当該顔が画像の中の予め決められた領域（例えば、略中心あたり）にあれば公序良俗違反でないと判断し、顔認識できなかった場合、または顔が画像の中の予め決められた領域にない場合は公序良俗違反であるとの判断情報を取得する。なお、顔認識の技術は、例えば、上記の特許文献２、３などに記載されている。また、画像内の人の認識技術は、例えば、上記の特許文献４などに記載されている。
【００５５】
第四の判断情報取得処理は、以下である。違反情報は、画像が予め決められた背景（例えば、ブルーバック）と、人の画像を有する場合は公序良俗違反ではなく、それ以外であれば公序良俗違反であるとの判断を行う旨の情報である。そして、判断情報取得手段１２２２は、違反情報格納手段１２２１に格納されている背景画像を取得し、受信された画像から背景画像を差し引いた画像（切り出した画像）が１以上の人の画像であるか否かを判断する。判断情報取得手段１２２２は、１以上の人の画像であれば公序良俗違反でないことを示す判断情報を取得する。そして、判断情報取得手段１２２２は、１以上の人の画像でなければ公序良俗違反であることを示す判断情報を取得する。なお、画像内の人の認識技術は、は、例えば、上記の特許文献４などに記載されている。受信された画像から予め決められた背景画像を用いて被写体の画像を切り出した後、特許文献４記載の技術を用いれば、人の画像を有するか否かの判断が可能である。
【００５６】
第五の判断情報取得処理は、以下である。違反情報は、画像の中に人物が認識されない場合は公序良俗違反であり、人物が認識される場合は公序良俗違反ではない、という処理である。そして、判断情報取得手段１２２２は、受信された画像の中の顔認識を行い、顔認識できなかった場合は公序良俗違反であり、顔認識できた場合は公序良俗違反でないとの判断情報を取得する。なお、画像内の人の認識技術は、例えば、上記の特許文献４などに記載されている。また、顔認識の技術は、例えば、上記の特許文献２、３などに記載されている。
【００５７】
第六の判断情報取得処理は、以下である。違反情報格納手段１２２１は、有名人の顔写真、卑猥な画像などの公序良俗に反し得る画像を多数格納している画像データベースを保持している。そして、判断情報取得手段１２２２は、受信された画像と、画像データベース中の各画像との類似度を算出する。そして、判断情報取得手段１２２２は、受信された画像と画像データベース中のすべての画像との類似度が閾値より小さい場合は公序良俗違反でなく、少なくとも一つの類似度が閾値より大きい場合は公序良俗違反であるとの判断情報を取得する。また、顔画像の類似度を判定する技術は、例えば、上記の特許文献５などに記載されている。さらに、画像間の類似度を判定する技術は、例えば、上記の特許文献６、７などに記載されている。
【００５８】
第七の判断情報取得処理は、上記の第二から第六の処理のうちのいずれかの処理を行い、受信された画像が公序良俗違反か否かを決定できない場合、画像表示部１２４は画像を表示し、判断情報取得部１２２は、ユーザからの判断情報の入力を受け付ける。この入力を受け付ける処理は、上述した第一の判断情報取得処理と同様である。公序良俗違反か否かを決定できない場合とは、例えば、第六の判断情報取得処理の場合、２つの画像の類似度が予め決められた閾値の範囲（似ているとも似ていないとも言えない類似度の範囲）である場合などである。
【００５９】
次に、印刷装置１３の動作について説明する。印刷装置１３の印刷対象画像受信部１３２は、印刷決定装置１２から画像を受信する。印刷部１３３は、有価媒体カセット１３１にセットされている有価媒体の、予め決められた領域に、受信された画像を印刷する。
【００６０】
以下、本実施の形態における有価媒体印刷システムの具体的な動作について説明する。有価媒体印刷システムの概念図は図１である。
（具体例１）
【００６１】
具体例１は、公序良俗違反の決定は人手により行われる場合である。また、画像入力装置１１は、例えば、通信機能を有する、いわゆるプリクラ装置である。まず、ユーザは、画像入力装置１１における所定の入金口に必要な金額のお金を入力する。次に、ユーザは、画像入力装置１１の図示しない撮影ボタンを押下する。そして、画像入力装置１１の画像受付部１１１のカメラ１１１１は、被写体（たとえば、ユーザ）を撮影する。すると、画像受付部１１１の画像取得手段１１１２は、カメラ１１１１が撮影した画像を取得し、メモリ上に配置する。そして、画像入力装置１１の画像受付部１１１は、画像が印刷された有価媒体の郵送先等の情報の入力を促す画面を表示する。なお、画像受付部１１１は、画面の情報を予め格納している、とする。そして、ユーザは、画面に従って、氏名、郵便番号、住所などを入力する。そして、画像受付部１１１は、ユーザが入力した氏名、郵便番号、住所などを受け付ける。次に、画像取得手段１１１２は、氏名、郵便番号、住所などを取得し、メモリ上に配置する。次に、ユーザは、画像入力装置１１が具備する、図示しない画像送信ボタンを押下する。すると、画像送信部１１２は、メモリ上の画像と氏名、郵便番号、住所などの情報を印刷決定装置１２に送信する。
【００６２】
次に、印刷決定装置１２の画像受信部１２１は、画像と氏名、郵便番号、住所などの情報を受信する。そして、画像表示部１２４が、受信された画像をディスプレイに表示する（図４参照）。次に、ユーザは、ディスプレイに表示された画像を見て、公序良俗違反の画像であるか否か（判断情報）を入力する。ここで、例えば、ユーザは、図４の「ＯＫ」ボタンをマウスで押下した、とする。次に、判断情報取得部１２２は、「ＯＫ」ボタンの押下に応じた判断情報（例えば、「１」）を取得する。なお、ここでは、判断情報「１」は、公序良俗違反ではないことを意味し、判断情報「０」は、公序良俗違反であることを意味するものとする。次に、画像転送部１２３は、画像と氏名、郵便番号、住所などの情報を、印刷装置１３に送信する。
【００６３】
次に、印刷装置１３の印刷対象画像受信部１３２は、画像と氏名、郵便番号、住所などの情報を受信する。そして、印刷部１３３は、有価媒体カセット１３１内の有価媒体に対して、予め決められた領域に、受信された画像を印刷し、画像が印刷された有価媒体を出力する。有価媒体の例を図５に示す。図５の有価媒体は、画像が印刷された第一の領域５１と、金額に関する情報が表示された第二の領域５２を有する切手が８枚印刷された切手シートである。第一の領域と第二の領域のレイアウトは問わないことは言うまでもない。また、有価媒体カセット１３１に格納されている有価媒体における第一の領域５１は、何も印刷されていないことが好適である。
【００６４】
なお、上記において、公序良俗違反をチェックする人が、図４の「ＮＧ」のボタンを押下した場合、印刷装置１３は、図５のような有価媒体を印刷しない。また、公序良俗違反をチェックする人が、図４の「ＮＧ」のボタンを押下した場合、印刷決定装置１２の画像転送部１２３は、画像を印刷装置１３に送信しないことは好適である。また、かかる場合、印刷決定装置１２における図示しない通信手段は公序良俗に反する旨を示す情報を画像入力装置１１に送信し、画像入力装置１１の図示しない通信手段は公序良俗に反する旨を示す情報を受信し、画像入力装置１１の図示しない出力手段は公序良俗に反する旨を示す情報を出力することは好適である。
【００６５】
また、具体例２から具体例７において、画像入力装置１１の処理、および印刷装置１３の処理は、具体例１と同様である、とする。また、具体例２から具体例７において、印刷決定装置１２の公序良俗違反の決定処理のみ、具体例１と異なる、とする。
（具体例２）
【００６６】
具体例２は、公序良俗違反の決定は、自動的に行われ、かつ、画像の対象物（被写体）が立体であれば公序良俗違反ではなく、被写体が平面であれば公序良俗違反であるとの判断を行う場合である。
【００６７】
つまり、印刷決定装置１２の画像受信部１２１は、画像入力装置１１が有する２以上のカメラ（カメラ１１１１）で撮影され（図６参照）、取得された２以上の画像と氏名、郵便番号、住所などの情報を受信する。判断情報取得手段１２２２は、まず、特許文献８、９などに記載されている技術を用いて、被写体が立体であるか平面であるかを判断する。つまり、有名人の写真が画像入力装置１１で撮影された場合、判断情報取得手段１２２２は、受信された２以上の画像から、被写体が平面である、と判断する。そして、判断情報取得手段１２２２は、公序良俗違反であることを意味する判断情報の「０」を得る。そして、印刷決定装置１２の画像転送部１２３は、画像を印刷装置１３に送信しない。また、かかる場合、印刷決定装置１２における図示しない通信手段は公序良俗に反する旨を示す情報を画像入力装置１１に送信し、画像入力装置１１の図示しない通信手段は公序良俗に反する旨を示す情報を受信し、画像入力装置１１の図示しない出力手段は公序良俗に反する旨を示す情報を出力することは好適である。
【００６８】
なお、判断情報取得手段１２２２は、公序良俗違反でないことを意味する判断情報の「１」を得た場合、印刷決定装置１２の画像転送部１２３は、画像等を印刷装置１３に送信することは言うまでもない。かかる場合、印刷装置１３の印刷対象画像受信部１３２は、画像と氏名、郵便番号、住所などの情報を受信する。そして、印刷部１３３は、有価媒体カセット１３１内の有価媒体に対して、予め決められた領域に、受信された画像を印刷し、画像が印刷された有価媒体（図５参照）を出力する。
（具体例３）
【００６９】
具体例３は、公序良俗違反の決定は、自動的に行われ、かつ、画像の予め決められた領域（例えば、略中心あたり）に人がいなければ公序良俗違反であり、画像の予め決められた領域（例えば、略中心あたり）に人がいれば公序良俗違反でないとの判断を行う場合である。
（具体例４）
【００７０】
具体例４は、公序良俗違反の決定は、自動的に行われ、かつ、画像が予め決められた背景と、人の画像を有する場合は公序良俗違反ではなく、それ以外であれば公序良俗違反であるとの判断を行う場合である。
（具体例５）
【００７１】
具体例５は、公序良俗違反の決定は、自動的に行われ、かつ、画像の中に人物が認識されない場合は公序良俗違反であり、人物が認識される場合は公序良俗違反ではないとの判断を行う場合である。
（具体例６）
【００７２】
具体例６は、公序良俗違反の決定は、自動的に行われ、かつ、印刷対象の画像と、有名人の顔写真、卑猥な画像などの公序良俗に反し得る画像との類似度が閾値より小さい場合は公序良俗違反でなく、類似度が閾値より大きい場合は公序良俗違反であるとの判断を行う場合である。なお、２つの画像の類似度を算出するアルゴリズムは何でも良い。例えば、判断情報取得手段１２２２は、２つの画像のそれぞれの多数の特徴量を抽出し、多数の特徴量から２つのベクトルを構成する。そして、判断情報取得手段１２２２は、２つのベクトルの内積を算出し、その値を類似度とし、類似度が小さいほど、類似していると判断する。そして、判断情報取得手段１２２２は、２つのベクトルの内積の値が予め格納されている閾値より小さい場合、公序良俗違反であるとの判断を行う。
（具体例７）
【００７３】
具体例７は、公序良俗違反の決定の際に、上記の具体例２から具体例６の処理のうちのいずれかの処理を行い、受信された画像が公序良俗違反か否かを決定できない場合、ユーザからの判断情報の入力を受け付ける場合である。
【００７４】
なお、具体例３から具体例６に示す公序良俗違反の判断の実現方法は、既に説明したので、その説明を省略する。
【００７５】
以上、本実施の形態によれば、公序良俗に反しない画像のみを用いて、切手シートや年賀状などの有価媒体を印刷できる。
【００７６】
なお、本実施の形態において、公序良俗違反の判断の実現方法は、問わない。
【００７７】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における印刷決定装置を実現するソフトウェアは、以下のようなプログラムである。つまり、このプログラムは、コンピュータを、画像入力装置から画像を受信する画像受信部と、前記画像に基づいて、当該画像が公序良俗に反しないか否かを示す情報である判断情報を取得する判断情報取得部と、前記判断情報が公序良俗に反しないことを示す情報である場合、前記画像を印刷装置に送信する画像転送部として機能させるためのプログラム、である。
【００７８】
また、上記プログラムにおいて、コンピュータを、前記画像受信部が受信した画像を表示する画像表示部としてさらに機能させ、前記判断情報取得部は、ユーザからの判断情報の入力を受け付け、当該受け付けた判断情報を得るものとして機能させるためのプログラム、である。
【００７９】
さらに、上記プログラムにおいて、前記判断情報取得部は、公序良俗に反する画像に関する情報である違反情報を格納している違反情報格納手段と、前記違反情報を用いて、前記画像が公序良俗に反しないか否かを示す情報である判断情報を取得する判断情報取得手段を具備するものとして、コンピュータを機能させるためのプログラム、である。
（実施の形態２）
【００８０】
本実施の形態において、画像入力装置と印刷装置は一体化されている有価媒体印刷システムである。つまり、判断情報は、印刷決定装置２２から入力印刷装置２１に送信される。
【００８１】
図７は、本実施の形態における有価媒体印刷システムのブロック図である。有価媒体印刷システム２は、入力印刷装置２１、印刷決定装置２２を具備する。
【００８２】
入力印刷装置２１は、有価媒体カセット１３１、画像受付部１１１、画像送信部１１２、判断情報受信部２１１、印刷部２１２を具備する。
【００８３】
印刷決定装置２２は、画像受信部１２１、判断情報取得部１２２、判断情報送信部２２１、画像表示部１２４を具備する。
【００８４】
判断情報受信部２１１は、画像が公序良俗に反しないか否かを示す情報である判断情報を、印刷決定装置２２から受信する。判断情報受信部２１１は、通常、無線または有線の通信手段で実現されるが、放送を受信する手段で実現されても良い。
【００８５】
印刷部２１２は、判断情報受信部２１１が受信した判断情報が公序良俗に反しない旨を示す情報の場合のみ、画像を、有価媒体カセット１３１に蓄えられている有価媒体の、予め決められた領域に印刷する。画像を印刷する領域は、予め決められており、その領域は問わない。印刷部１３３は、プリンターとそのドライバーソフトウェア等で実現しても良い。
【００８６】
判断情報送信部２２１は、判断情報を入力印刷装置２１に送信する。判断情報送信部２２１は、通常、無線または有線の通信手段で実現されるが、放送手段で実現されても良い。
【００８７】
次に、有価媒体印刷システムの動作について説明する。まず、入力印刷装置２１の動作について説明する。
【００８８】
入力印刷装置２１の画像受付部１１１は画像を受け付ける。この受付とは、例えば、ユーザが図示しない撮影ボタンを押下し、カメラ１１１１により画像を撮影し、画像取得手段１１１２が当該撮影した画像を取得することである。次に、画像送信部１１２は、画像受付部１１１が受け付けた画像を印刷決定装置２２に送信する。そして、判断情報受信部２１１は、判断情報を印刷決定装置２２から受信する。次に、判断情報が公序良俗に反しないことを示す情報である場合、印刷部１３３は、有価媒体を印刷する。
【００８９】
なお、ここでの印刷部１３３は、公序良俗に反しないことを示す情報であるか否かをチェックする。そして、チェック結果に従って、有価媒体を印刷したり、しなかったりする。
【００９０】
次に、印刷決定装置２２の動作について説明する。印刷決定装置２２の画像受信部１２１は、入力印刷装置２１から画像を受信する。そして、判断情報取得部１２２は、実施の形態１で述べたアルゴリズム等を用いて、受信された画像から判断情報を取得する。そして、判断情報送信部２２１は、判断情報を送信する。なお、公序良俗に反するか否かを人手により判断する場合、画像表示部１２４は、画像を表示する。
【００９１】
以上、本実施の形態によれば、公序良俗に反しない画像のみを用いて、切手シートや年賀状などの有価媒体を印刷できる。また、本実施の形態によれば、例えば、写真を撮影したユーザは、その場で、有価媒体を得ることができる。
【００９２】
なお、本実施の形態における公序良俗違反の判断手法は、実施の形態１で説明した各種手法が利用できる。
【００９３】
さらに、本実施の形態における印刷決定装置を実現するソフトウェアは、以下のようなプログラムである。つまり、このプログラムは、コンピュータを、画像入力印刷装置から画像を受信する画像受信部と、前記画像に基づいて、当該画像が公序良俗に反しないか否かを示す情報である判断情報を取得する判断情報取得部と、前記判断情報を前記入力印刷装置に送信する判断情報送信部として機能させるためのプログラム、である。
【００９４】
また、上記プログラムにおいて、コンピュータを、前記画像受信部が受信した画像を表示する画像表示部としてさらに機能させ、前記判断情報取得部は、ユーザからの判断情報の入力を受け付け、当該受け付けた判断情報を得るものとして機能させるためのプログラム、である。
【００９５】
さらに、上記プログラムにおいて、前記判断情報取得部は、公序良俗に反する画像に関する情報である違反情報を格納している違反情報格納手段と、前記違反情報を用いて、前記画像が公序良俗に反しないか否かを示す情報である判断情報を取得する判断情報取得手段を具備するものとして、コンピュータを機能させるためのプログラム、である。
【００９６】
また、図８は、本明細書で述べたプログラムを実行して、上述した実施の形態の印刷決定装置、画像入力装置、入力印刷装置、印刷装置を実現するコンピュータの外観を示す。上述の実施の形態は、コンピュータハードウェア及びその上で実行されるコンピュータプログラムで実現され得る。図８は、このコンピュータシステム３４０の概観図であり、図９は、コンピュータシステム３４０のブロック図である。
図８において、コンピュータシステム３４０は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３４１と、キーボード３４２と、マウス３４３と、モニタ３４４とを含む。
【００９７】
図９において、コンピュータ３４１は、ＦＤドライブ３４１１、ＣＤ−ＲＯＭドライブ３４１２に加えて、ＣＰＵ（Ｃｅｎｔｒａｌ  Ｐｒｏｃｅｓｓｉｎｇ  Ｕｎｉｔ）３４１３と、ＣＰＵ３４１３、ＣＤ−ＲＯＭドライブ３４１２及びＦＤドライブ３４１１に接続されたバス３４１４と、ブートアッププログラム等のプログラムを記憶するためのＲＯＭ（Ｒｅａｄ−Ｏｎｌｙ  Ｍｅｍｏｒｙ）３４１５と、ＣＰＵ３４１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【００９８】
コンピュータシステム３４０に、上述した実施の形態の印刷決定装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
プログラムは、コンピュータ３４１に、上述した実施の形態の印刷決定装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【００９９】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１００】
また、上記プログラムを実行するコンピュータは、単数であってもよく、複数であってもよい。すなわち、集中処理を行ってもよく、あるいは分散処理を行ってもよい。
【０１０１】
また、上記各実施の形態において、一の装置に存在する２以上の通信手段は、物理的に一の媒体で実現されても良いことは言うまでもない。
【０１０２】
また、上記各実施の形態において、各処理（各機能）は、単一の装置（システム）によって集中処理されることによって実現されてもよく、あるいは、複数の装置によって分散処理されることによって実現されてもよい。
【０１０３】
本発明は、以上の実施の形態に限定されることなく、種々の変更が可能であり、それらも本発明の範囲内に包含されるものであることは言うまでもない。
【産業上の利用可能性】
【０１０４】
以上のように、本発明にかかる有価媒体印刷システムは、公序良俗違反の画像を用いた有価媒体の印刷を防止できる、という効果を有し、有価媒体印刷システム等として有用である。
【図面の簡単な説明】
【０１０５】
【図１】実施の形態１における有価媒体印刷システムの概念図
【図２】同有価媒体印刷システムのブロック図
【図３】同印刷決定装置の動作について説明するフローチャート
【図４】同ディスプレイの表示例を示す図
【図５】同有価媒体の例を示す図
【図６】同有価媒体印刷システムの概念図
【図７】実施の形態２における有価媒体印刷システムのブロック図
【図８】同コンピュータシステムの概観図
【図９】同コンピュータシステムのブロック図
【符号の説明】
【０１０６】
１、２  有価媒体印刷システム
１１  画像入力装置
１２、２２  印刷決定装置
１３  印刷装置
２１  入力印刷装置
１１１  画像受付部
１１２  画像送信部
１２１  画像受信部
１２２  判断情報取得部
１２３  画像転送部
１２４  画像表示部
１３１  有価媒体カセット
１３２  印刷対象画像受信部
１３３、２１２  印刷部
２１１  判断情報受信部
２２１  判断情報送信部
１１１１  カメラ
１１１２  画像取得手段
１２２１  違反情報格納手段
１２２２  判断情報取得手段
【図２】
2009135592.tif 000003
【図３】
2009135592.tif 000004
【図７】
2009135592.tif 000005
【図８】
2009135592.tif 000006
【図９】
2009135592.tif 000007
【図１】
2009135592.tif 000008
【図４】
2009135592.tif 000009
【図５】
2009135592.tif 000010
【図６】
2009135592.tif 000011